(57)【要約】【課題】本発明はイジェクト機構を備えていても、部品点数が増えることなく、コストアップにも繋がることがなく、コネクタの小型化を可能にするイジェクト機構を備えたカードコネクタ１０を提供する。【解決手段】本目的はカード５４が着脱自在に挿抜されるカードコネクタ１０であって、カード５４の挿抜手段として、一方端側に絶縁体１２と固定する固定端２４と、もう一方端側に絶縁体１２又はシャル１６に設けた略ハート形状をしたの係止部３６に係合する係合部２０と、係合部２０に近い側にカード５４を押圧する押圧部２２とを有するイジェクト部材１８を、係止部３６内を移動させることでカード５４の挿抜を可能にすることで達成できる。【選択図】  図１
2006114437.tif 000002
【特許請求の範囲】
【請求項１】
カードが着脱自在に挿抜されるカードコネクタであって、前記カードの挿抜手段として、一方端側に絶縁体と固定する固定端と、もう一方端側に前記絶縁体又はシャルに設けた略ハート形状をしたの係止部に係合する係合部と、該係合部に近い側に前記カードを押圧する押圧部とを有するイジェクト部材を、前記係止部内を移動させることで前記カードの挿抜を可能にすることを特徴とするカードコネクタ。
【請求項２】
カードが着脱自在に挿抜されるカードコネクタであって、前記カードと接触する接触部と基板等に接続される接続部とを有する複数本のコンタクトと、該コンタクトが配列・保持されるとともに前記カードが挿入される嵌合口を設け、前記カードを前記嵌合口まで導くためのガイド部を幅方向両側に設け、一方の前記ガイド部の側面に略ハート形状をした係止部を有する絶縁体と、該絶縁体の係止部に係合する係合部を有するイジェクト部材とを備えることを特徴とするカードコネクタ。
【請求項３】
遮蔽効果を持たせるために、金属製のシャルを前記絶縁体に覆うように装着することを特徴とする請求項２記載のカードコネクタ。
【請求項４】
前記カードの挿入時にはカードによってイジェクト部材を変位させることで前記カードが前記絶縁体の嵌合口に挿入され、前記カードの抜去時には更に前記イジェクト部材を押すことで前記イジェクト部材の弾性力によって前記カードが抜去されることを特徴とする請求項１、２又は３記載のカードコネクタ。
【請求項５】
前記カードが挿入される前は前記イジェクト部材の係合部は前記シェル若しくは前記絶縁体の係止部の先端部に位置し、前記カードが挿入されると前記カードによって前記イジェクト部材が変位し、前記イジェクト部材の係合部が前記係止部内を移動するとともに前記カードの挿入が完了した段階では前記係合部が前記係止部の先端溝部に位置し、前記カードを抜去する際には前記カードを更に押し込むと前記係合部が前記先端溝部より外れ、前記イジェクト部材の弾性力によって前記係止部内を挿入時とは逆側の経路を移動するとともに前記カードが抜けた状態では前記係合部が前記係止部の先端部に戻ることを特徴とする請求項１から４のいずれか１項記載のカードコネクタ。
【発明の詳細な説明】
【技術分野】
【０００１】
この発明は、パーソナルコンピュータや小型モバイル機器などの各種電子・電気機器に使用されるカードのイジェクト機構を備えるカードコネクタに関するもので、特にカードコネクタの狭小化を可能にしたイジェクト機構に関するものである。
【背景技術】
【０００２】
近年、パソナルコンピュータや小型モバイル機器等の電子・電気機器に使用されるカードコネクタは、遮蔽効果を高めることや該機器の取扱性やカードやコネクタが破損することがないようにすることやカードを安全かつ確実に抜去するためにカード自体の端面までが機器内に入ってしまうことが多いので、手でカードを掴むことができなく、前記カードを抜去することができなかった。その為、カード自体の端面が機器内まで入ってしまっていても、カードを抜去することができる構造のカードコネクタが要求され、下記に示すようなイジェクト機構を備えたカードコネクタが提案されている。
【特許文献１】特開平８−１７１９５８号の要約によると、コネクタ本体に設けたストッパーがきかなくなっても、イジェクトユニットからプッシュバーが外れることがなく、かつ、挟スペース間でもイジェクトユニットへプッシュバーを装着できるメモリーカード用コネクタを提供することを目的とし、プッシュバーの一方に前記アームバーに引っかかる引っかかり部を設け、この引っかかり部側の段差部の隅に切り欠き部Ａを設け、前記イジェクトユニットの手前側から前記プッシュバーを奥行き方向に移動させるだけでこのプッシュバーをイジェクトユニットに装着可能にする構造のものが開示されている。
【特許文献２】特開平９−２３７６５１号の要約によると、ＰＣカードの取出し時に一時的にイジェクタが突出し、常時突出していることのないＰＣカード用電気コネクタを提供することを目的とし、イジェクタとイジェクトバーとの間に配された中間バーと、操作開孔の壁面に形成された第一及び第二カム部とを備え、第一カム部は、ＰＣカードの挿入時に押釦部を前進したロック位置に可動部材を保持し、押釦部の第一押圧によりロックを解除し、カード抜出時の押釦部の第二押圧により可動部材をイジェクタが最前進位置にくるよう案内した後にロック位置へ戻すような循環カム溝を有し、第二カム部は、カード挿入時及び第一押圧時に中間バーの被圧部をイジェクタの段部空間に収め、第二押圧時に被圧部をイジェクタの腕状部の前端と当接可能な位置にもたらすように被案内軸部を案内する循環カム溝を有する構造のＰＣカード用電気コネクタが開示されている。
【特許文献３】特開平９−２８３２１０号の要約によると、カードコネクタのイジェクト装置において、カードをコネクタから排出する必要があるときだけ操作ステムを突出させることができ、カードを排出する必要がないときには操作ストッパが退入していることを目的とし、主ステムと副ステムとからなる伸縮可能な操作ステムと、ステム保持体と、ばね体と、操作ステムを伸長保持状態と収縮可能状態とに切り換える操作ステム制御機構と、ロック機構とを備え、ロック機構は、操作ステムを初期位置とそれよりも往動方向側の第３位置とに位置決めする機能を有する構造のカードコネクタが開示されている。
【特許文献４】特開平１０−１０６６７９号の要約によると、カード用コネクタのイジェクト機構の押しボタンが、常にカードの挿入方向に押し込んだ状態にできて外方に突出しないようにし、これによって、機器のスペース効率も良くすることを目的とし、カード用コネクタのイジェクトレバーと、カードの挿抜方向Ｘで移動可能に設けられた押しボタンとの間に介在させる連結機構であり、ハートカムが形成されたカムプレートと、ハートカムに係合するピンと、カムプレートおよびピンに必要な付勢用のばね部材を備えており、ハートカムを構成した斜行カム溝とピンの係合を介してカムプレートとピンの間でＹ方向で相対移動が生ずるようにされ、対向部がイジェクトレバーに係合可能の位置と係合不能の位置の間を移動するような構造のカード用コネクタが開示されている。
【発明の開示】
【発明が解決しようとする課題】
【０００３】
近年、電気・電子機器の小型化に伴い、該機器に装着されるコネクタにもより一層の小型化の要求が強くなってきている。
このような要求が強くなってきている中、上記に挙げた特許文献１〜４のような構造のカードコネクタでは、少なくともカードを取り出す際のイジェクト機構を備えるスペース分だけは必要であり、該スペースを小さくするにも限度があり、これ以上イジェクト機構を備えたカードコネクタを小型化出来ないといった解決すべき課題があった。
また、特許文献１〜４のような構造のカードコネクタでは、イジェクト機構を備えるために、部品点数が増えてしまい、管理工数が掛かり、コストアップに繋がってしまうという問題点もあった。
【０００４】
本発明は、このような従来の問題点に鑑みてなされたもので、イジェクト機構を備えていても、部品点数が増えることなく、コストアップにも繋がることがなく、コネクタの小型化を可能にするイジェクト機構を備えたカードコネクタ１０を提供せんとするものである。
【課題を解決するための手段】
【０００５】
上記目的は、カード５４が着脱自在に挿抜されるカードコネクタ１０であって、前記カード５４の挿抜手段として、一方端側に絶縁体１２と固定する固定端２４と、もう一方端側に前記絶縁体１２又はシャル１６に設けた略ハート形状をしたの係止部３６に係合する係合部２０と、該係合部２０に近い側に前記カード５４を押圧する押圧部２２とを有するイジェクト部材１８を、前記係止部３６内を移動させることで前記カード５４の挿抜を可能にすることで達成できる。
【０００６】
また、上記目的は、カード５４が着脱自在に挿抜されるカードコネクタ１０であって、前記カード５４と接触する接触部５０と基板等に接続される接続部５２とを有する複数本のコンタクト１４と、該コンタクト１４が配列・保持されるとともに前記カード５４が挿入される嵌合口２６を設け、前記カード５４を前記嵌合口２６まで導くためのガイド部３０を幅方向両側に設け、一方の前記ガイド部３０の側面に略ハート形状をした係止部３６を有する絶縁体１２と、該絶縁体１２の係止部３６に係合する係合部２０を有するイジェクト部材１８とを備えることでも達成できる。
遮蔽効果を持たせるために、金属製のシャル１６を前記絶縁体１２に覆うように装着する。
【０００７】
前記カード５４の挿入時にはカード５４によってイジェクト部材１８を変位させることで前記カード５４が前記絶縁体１２の嵌合口２６に挿入され、前記カード５４の抜去時には更に前記イジェクト部材１８を押すことで前記イジェクト部材１８の弾性力によって前記カード５４が抜去されようにする。
前記カード５４が挿入される前は前記イジェクト部材１８の係合部２０は前記シェル１６若しくは前記絶縁体１２の係止部３６の先端部３８に位置し、前記カード５４が挿入されると前記カード５４によって前記イジェクト部材１８が変位し、前記イジェクト部材１８の係合部２０が前記係止部３６内を移動するとともに前記カード５４の挿入が完了した段階では前記係合部２０が前記係止部３６の先端溝部４４に位置し、前記カード５４を抜去する際には前記カード５４を更に押し込むと前記係合部２０が前記先端溝部４４より外れ、前記イジェクト部材１８の弾性力によって前記係止部３６内を挿入時とは逆側の経路を移動するとともに前記カード５４が抜けた状態では前記係合部２０が前記係止部３６の先端部３８に戻るようにする。
【発明の効果】
【０００８】
以上の説明から明らかなように、本発明のカードコネクタ１０によると、次のような優れた顕著な効果が得られる。
（１）カード５４が着脱自在に挿抜されるカードコネクタ１０であって、前記カード５４の挿抜手段として、一方端側に絶縁体１２と固定する固定端２４と、もう一方端側に前記絶縁体１２又はシャル１６に設けた略ハート形状をしたの係止部３６に係合する係合部２０と、該係合部２０に近い側に前記カード５４を押圧する押圧部２２とを有するイジェクト部材１８を、前記係止部３６内を移動させることで前記カード５４の挿抜を可能にしているので、最低限の部品点数で容易にカード５４を抜去することができ、従来に比べてカードコネクタ６０を幅方向で３ｍｍ程度小さくでき、基板占有面積も小さくすることができる。
（２）カード５４が着脱自在に挿抜されるカードコネクタ１０であって、前記カード５４と接触する接触部５０と基板等に接続される接続部５２とを有する複数本のコンタクト１４と、該コンタクト１４が配列・保持されるとともに前記カード５４が挿入される嵌合口２６を設け、前記カード５４を前記嵌合口２６まで導くためのガイド部３０を幅方向両側に設け、一方の前記ガイド部３０の側面に略ハート形状をした係止部３６を有する絶縁体１２と、該絶縁体１２の係止部３６に係合する係合部２０を有するイジェクト部材１８とを備えているので、最低限の部品点数で容易にカード５４を抜去することができ、従来に比べてカードコネクタ１０を幅方向で３ｍｍ程度小さくでき、基板占有面積も小さくすることができる。
（３）遮蔽効果を持たせるために、金属製のシャルを前記絶縁体に覆うように装着しているので、カードコネクタ１０の遮蔽効果も高めることができ、最低限の部品点数で容易にカード５４を抜去することができ、従来に比べてカードコネクタ１０を幅方向で３ｍｍ程度小さくでき、基板占有面積も小さくすることができる。
（４）前記カード５４の挿入時にはカード５４によってイジェクト部材１８を変位させることで前記カード５４が前記絶縁体１２の嵌合口２６に挿入され、前記カード５４の抜去時には更に前記イジェクト部材１８を押すことで前記イジェクト部材１８の弾性力によって前記カード５４が抜去されようにしているので、カード５４が挿入された状態で、更に挿入するだけで容易にカード５４を抜去することができ、カードコネクタ１０の小型化も可能で、最低限の部品点数でイジェクト機能を提供でき、コストアップも繋がらない。
（５）前記カード５４が挿入される前は前記イジェクト部材１８の係合部２０は前記シェル１６若しくは前記絶縁体１２の係止部３６の先端部３８に位置し、前記カード５４が挿入されると前記カード５４によって前記イジェクト部材１８が変位し、前記イジェクト部材１８の係合部２０が前記係止部３６内を移動するとともに前記カード５４の挿入が完了した段階では前記係合部２０が前記係止部３６の先端溝部４４に位置し、前記カード５４を抜去する際には前記カード５４を更に押し込むと前記係合部２０が前記先端溝部４４より外れ、前記イジェクト部材１８の弾性力によって前記係止部３６内を挿入時とは逆側の経路を移動するとともに前記カード５４が抜けた状態では前記係合部２０が前記係止部３６の先端部３８に戻るようにしているので、カード５４が挿入された状態で、更に挿入するだけで容易にカード５４を抜去することができ、カードコネクタ１０の小型化も可能で、最低限の部品点数でイジェクト機能を提供でき、コストアップも繋がらない。
【発明を実施するための最良の形態】
【０００９】
図１から図７に基づいて、本発明のカードコネクタ１０の一実施例について説明する。図１は嵌合側よりみた本発明のカードコネクタ及びカードが挿入された状態のカードコネクタの斜視図である。図２（Ａ）はカードが挿入される前若しくは抜去された後の平面図であり、（Ｂ）は（Ａ）の状態の側面図である。図３（Ａ）はカードが挿入され始めた段階の平面図であり、（Ｂ）は（Ａ）の状態の側面図である。図４（Ａ）はカードを図３の状態から更に挿入した段階の平面図であり、（Ｂ）は（Ａ）の状態の側面図である。図５（Ａ）はカードを図４の状態から更に挿入した段階の平面図であり、（Ｂ）は（Ａ）の状態の側面図である。図６（Ａ）はカードの挿入が完了した状態の平面図であり、（Ｂ）は（Ａ）の状態の側面図である。図７（Ａ）はカードを抜去する際に図６の状態から更にカードを押し込んだ段階の平面図であり、（Ｂ）は（Ａ）の状態の側面図である。図８（Ａ）はカードが抜去されている段階の平面図であり、（Ｂ）は（Ａ）の状態の側面図である。図９（Ａ）はカードが図８の状態から更に抜去された段階の平面図であり、（Ｂ）は（Ａ）の状態の側面図である。
一実施例の本発明のカードコネクタ１０は、主に絶縁体１２と複数本のコンタクト１４とイジェクト部材１８とシェル１６とを備えている。
【００１０】
本発明のポイントであるイジェクト部材１８について説明する。前記イジェクト部材１８は金属製であり、公知技術の切削加工やプレス加工によって作成され、その材質としてはバネ性や加工性や寸法安定性が要求されるので、ベリリウム銅やリン青銅を挙げることができる。
前記イジェクト部材１８の一方端側には係合部２０を有し、もう一方端側には固定端２４を有し、前記係合部２０側付近にはカード５４を押圧する押圧部２２を備えている。該イジェクト部材１８の役割は、前記カード５４を抜去する際に前記カード５４を押すだけで前記カード５４が抜去できるようにするものである。
【００１１】
前記イジェクト部材１８の固定端２４は、圧入や引っ掛けによって絶縁体１２に固定され、前記係合部２０はシェル１６に形成されたハート状をした係止部３６に係合している。前記イジェクト部材１８の押圧部２２は嵌合口２６側に突出するような形状をしており、前記イジェクト部材１８自体が弾性を有しており、前記カード５４によって前記押圧部２２が押されると、前記係合部２０がハート形状をした係止部３６を移動するようになっている。前記イジェクト部材１８は、前記カード５４が挿入される前の状態では図２のようになっており、前記カード５４の挿入が完了した状態では図６のようになっている。即ち、前記イジェクト部材１８の位置としては、前記イジェクト部材１８の移動時には該イジェクト部材１８が前記コンタクト１４に接触することがないように適宜設計されている。
【００１２】
次に、絶縁体１２について説明する。この絶縁体１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
前記絶縁体１２は主に本体部２８と該本体部２８の長手方向両端にある２つのガイド部３０とを有しており、略コ字形状の配置された前記本体部２８と２つのガイド部３０とでカード５４が入る嵌合部３４を形成している。前記絶縁体１２の本体部２８には前記カード５４が入る嵌合口２６が形成され、複数のコンタクト１４が前記嵌合口２６内に突出するように保持・配列するための複数の挿入孔３２が設けられている。また、前記嵌合口２６内の一方の側壁に、前記イジェクト部材１８の固定端２４を固定するための固定孔が設けられている。前記固定端２４は、前記固定孔に圧入や引っ掛けによって固定されている。
【００１３】
前記ガイド部３０にはカード５４を前記嵌合口２６まで導くための略コ字形状をしたガイド溝３１が設けられている。該ガイド溝３１の大きさは前記カード５４が入るように適宜設計する。
一方の前記ガイド部３０には、前記イジェクト部材１８と係合するための略ハート形状をした係止部３６が設けられている。前記係止部３６に前記イジェクト部材１８の係合部２０が係合し、前記イジェクト部材１８の係合部２０が前記係止部３６を移動することで、前記カード５４の挿抜を行なえる構造になっている。前記係止部３６の大きさは前記イジェクト部材１８の係合部２０がスムーズに移動でき、かつ、移動することでカード５４を抜去でき、コネクタ１０の小型化ができるように適宜設計する。
前記係止部３６を形成する位置としては、前記イジェクト部材１８で前記カード５４を抜去でき、かつ、前記イジェット部材１８が移動している際に前記コンタクト１４と接触することがなく、前記カード５４が挿入されている際には確実に前記カード５４と前記コンタクト１４との接続を図ることができるように適宜設計する。
本実施例では前記係止部３６は略ハート形状の凹溝にし、前記イジェクト１８の係合部２０を係合させている。
【００１４】
次に、シェル１６について説明する。該シェル１６は金属製であり、公知技術のプレス加工によって製作されている。前記シェル１６の材質としては、寸法安定性や加工性などが要求されるので、黄銅やベリリウム銅やリン青銅等を挙げることができる。
前記シェル１６は遮蔽効果を上げるためのものであり、前記絶縁体１２を覆っており、前記絶縁体１２に引っ掛けや圧入によって固定されている。
前記シェル１６は略箱型形状をしており、前記絶縁体１２のガイド部３０を覆う側壁５４と該側壁５４を連結する上壁５６とを備えている。前記上壁５６にはカードの装着状態を確認するための孔６０が設けられている。
【００１５】
前記シェル１６には前記絶縁体１２の係止部３６の補強のために、前記係止部３６に対応した位置にプレス加工時に部分的に切り起こした形状の突起を形成し、前記絶縁体１２に該突起の入る穴を設けてもよい。
【００１６】
次に、コンタクト１４について説明する。該コンタクト１４は金属製であり、公知技術のプレス加工によって製作されている。前記コンタクト１４の材質としては、バネ性や導電性などが要求されるので、黄銅やベリリウム銅やリン青銅等を挙げることができる。
【００１７】
前記コンタクト１４は主に前記カード５４と接続する接触部５０と前記絶縁体１２に固定される固定部と基板等に接続する接続部５２とを備えている。前記接触部５０は前記絶縁体１２の嵌合口２６内に突出されている。前記固定部は前記絶縁体１２の挿入孔３２に圧入や引っ掛けや溶着等によって固定されている。前記接続部５２は本実施例では表面実装（ＳＭＴ）タイプにしたが、ディップタイプであってもよい。
【００１８】
最後に、図２から図９に基づいて、前記カード挿抜時の前記イジェクト部材１８の動きについて説明する。図２から図９の図面では、前記イジェクト部材１８の係合部２０が前記絶縁体１２の係止部３６内をどのように移動するかを判り易く説明するために、前記係止部３６と係合部２０を実線（本来で破線でるが）で現した。
まず、挿入について説明すると、第一に、前記カード５４が挿入される前の状態としては、図２（Ｂ）のように前記イジェクト部材１８の係合部２０は略ハート形状をした係止部３６の先端部（Ａ部）３８に位置し、前記イジェクト部材１８の押圧部２２が図２（Ａ）のように四分の一Ｒのように湾曲している。
第ニに、前記カード５４が挿入され始めると、図３（Ａ）のように前記カード５４で前記イジェクト部材１８の押圧部２２を前記コンタクト１４方向（図の右方向）に押し下げられ、この際に、図３（Ｂ）のように前記イジェクト部材１８の係合部２０は略ハート形状をした係止部３６の傾斜部３９を移動する。
第三に、前記カード５４がさらに挿入されると、図４（Ａ）のようにさらに前記カード５４で前記イジェクト部材１８の押圧部２２を前記コンタクト１４方向（図の右方向）に押し下げる。この際に、図４（Ｂ）のように、前記イジェクト部材１８の係合部２０は略ハート形状をした係止部３６の下端部（Ｂ部）４０を前記コンタクト１４方向（図の右方向）に移動している。
第四に、第三の状態からさらに前記カードを挿入すると、図５（Ｂ）のように前記係合部３６が下頂部（Ｃ部）４２を乗り越えて、前記イジェクト部材１８の係合部２０が略ハート形状をした係止部３６の先端溝部（Ｄ部）４４  方向に落ち込む。
第五に、前記カード５４が完全に挿入された状態としては、第四の状態から図６（Ｂ）のように前記イジェクト部材１８の係合部２０が略ハート形状をした係止部３６の先端溝部（Ｄ部）４４に落ち込むことで挿入が完了する。このように、係合部２０が先端溝部（Ｄ部）４４に落ち込むことで、前記係合部２０は動かなくなる。
【００１９】
次に、抜去について説明すると、第六に、第五の状態からさらに図７（Ａ）のように前記カード５４を前記コンタクト１４方向（図の右方向）に挿入すると、前記カード５４によって前記イジェクト部材１８の押圧部２２が押され、前記イジェクト部材１８の弾性力によって、図７（Ｂ）のように前記係合部２０は上頂部（Ｅ部）４６を乗り越える。
第七に、第六の状態から前記カード５４は前記イジェクト部材１８によって、嵌合口２６方向に押し上げられるので、前記係合部２０は図８（Ｂ）のように略ハート形状をした係止部３６の上端部（Ｆ部）４８に移動する。
第八に、第七の状態でさらに前記イジェクト部材１８の弾性力によって、前記係合部２０は前記カード５４の挿入方向と逆方向（図の左方向）に移動し、図９（Ｂ）のように
上端部（Ｆ部）４８から傾斜部３９を移動する。
する。
第九に、完全に前記カード５４が抜去した状態では、第一の状態に戻り、前記イジェクト部材１８の係合部２０は略ハート形状をした係止部３６の先端部（Ａ部）３８の位置に戻る。
【００２０】
別の実施例について説明すると、本発明のカードコネクタ（図示せず）は主に絶縁体とコンタクト１４とイジェクト部材１８とを備えている。該カードコネクタは上述したカードコネクタ１０からシェル１６を除いたものであり、その他の構造は上述のカードコネクタ１０と同様である。
【００２１】
図示はしないが、さらに、別の実施例について説明する。本カードコネクタは絶縁体とコンタクト１４とシャルとイジェクト部材１８とを備えている。ここで、コンタクト１４とイジェクト部材１８は同様の構造のため、説明を省略する。まず、絶縁体としては、上述した絶縁体１２から前記ガイド部３０を除いた構造にする。シェルとしては、シェルに除いた前記ガイド部３０を構成するようにし、一方のシェルのガイド部に略ハート形状をした係止部を設ける。該係止部は、別部品を所定の位置に圧入や溶着によって取り付けることで形成する。
【産業上の利用可能性】
【００２２】
本発明の活用例としては、、パーソナルコンピュータや小型モバイル機器などの各種電子・電気機器に使用されるカード５４のイジェクト機構を備えるカードコネクタ１０に活用され、特にカードコネクタ１０の狭小化を可能にしたイジェクト機構に関するものである。
【図面の簡単な説明】
【００２３】
【図１】嵌合側よりみた本発明のカードコネクタ及びカードが挿入された状態のカードコネクタの斜視図である。
【図２】（Ａ）  カードが挿入される前若しくは抜去された後の平面図である。（Ｂ）  （Ａ）の状態の側面図である。
【図３】（Ａ）  カードが挿入され始めた段階の平面図である。（Ｂ）  （Ａ）の状態の側面図である。
【図４】（Ａ）  カードを図３の状態から更に挿入した段階の平面図である。（Ｂ）  （Ａ）の状態の側面図である。
【図５】（Ａ）  カードを図４の状態から更に挿入した段階の平面図である。（Ｂ）  （Ａ）の状態の側面図である。
【図６】（Ａ）  カードの挿入が完了した状態の平面図である。（Ｂ）  （Ａ）の状態の側面図である。
【図７】（Ａ）  カードを抜去する際に図６の状態から更にカードを押し込んだ段階の平面図である。（Ｂ）  （Ａ）の状態の側面図である。
【図８】（Ａ）  カードが抜去されている段階の平面図である。（Ｂ）  （Ａ）の状態の側面図である。
【図９】（Ａ）  カードが図８の状態から更に抜去された段階の平面図である。（Ｂ）  （Ａ）の状態の側面図である。
【符号の説明】
【００２４】
１０          カードコネクタ
１２          絶縁体
１４          コンタクト
１６          シェル
１８          イジェクト部材
２０          係合部
２２          押圧部
２４          固定端
２６          嵌合口
２８          本体部
３０          ガイド部
３１          ガイド溝
３２          挿入孔
３４          嵌合部
３６          係止部
３８          先端部（Ａ部）
３９          傾斜部
４０          下端部（Ｂ部）
４２          下頂部（Ｃ部）
４４          先端溝部（Ｄ部）
４６          上頂部（Ｅ部）
４８          上端部（Ｆ部）
５０          接触部
５２          接続部
５４          カード
５６          側壁
５８          上壁
６０          孔
【図１】
2006114437.tif 000003
【図２】
2006114437.tif 000004
【図３】
2006114437.tif 000005
【図４】
2006114437.tif 000006
【図５】
2006114437.tif 000007
【図６】
2006114437.tif 000008
【図７】
2006114437.tif 000009
【図８】
2006114437.tif 000010
【図９】
2006114437.tif 000011